(57)【要約】【課題】第１オーディオデータと、第１オーディオデータとデータ形式が異なる第２オーディオデータと、を音楽再生装置からＤ／Ａ変換装置に出力する場合に、第２オーディオデータが出力できなくなるという問題を解決すること。【解決手段】設定部２２は、ＵＳＢ  ＤＡＣ１１が使用するチャンネルを、Ｌチャンネル、ＲチャンネルのＰＣＭデータを含むＰＣＭデータ用のＰＣＭデータ用チャンネル１９Ｌ，１９Ｒと、Ｌチャンネル、ＲチャンネルのＤＳＤデータを含むＤＳＤデータ用のＤＳＤデータ用チャンネル２０Ｌ，２０Ｒと、を含む４チャンネルに設定する。出力部２４は、設定部２２が設定したＰＣＭデータ用チャンネル１９にＰＣＭデータを出力し、且つ、設定部２２が設定したＤＳＤデータ用チャンネル２０にＤＳＤデータを出力する。【選択図】図２
2015122709.tif 000002
【特許請求の範囲】
【請求項１】
デジタルの第１オーディオデータと、前記第１オーディオデータとデータ形式が異なる、デジタルの第２オーディオデータと、をＤ／Ａ変換装置に出力する音楽再生装置であって、
前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、
前記設定部が設定した前記第１チャンネルに前記第１オーディオデータを出力し、且つ、前記設定部が設定した前記第２チャンネルに前記第２オーディオデータを出力する第１出力部と、
を備えることを特徴とする音楽再生装置。
【請求項２】
前記Ｄ／Ａ変換装置への前記第１オーディオデータの出力、又は、前記第２オーディオデータの出力の選択を受け付ける受付部をさらに備え、
前記第１出力部は、前記受付部が前記第１オーディオデータの出力の選択を受け付けた場合に、
前記設定部が設定した前記第１チャンネルに前記第１オーディオデータを出力し、
前記設定部が設定した前記第２チャンネルに無音の前記第２オーディオデータを出力し、
前記第１出力部は、前記受付部が前記第２オーディオデータの出力の選択を受け付けた場合に、
前記設定部が設定した前記第１チャンネルに無音の前記第１オーディオデータを出力し、
前記設定部が設定した前記第２チャンネルに前記第２オーディオデータを出力することを特徴とする請求項１に記載の音楽再生装置。
【請求項３】
デジタルの第１オーディオデータと、前記第１オーディオデータとデータ形式が異なる、デジタルの第２のオーディオデータと、をＤ／Ａ変換装置に出力する音楽再生装置であって、
前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、
前記設定部が設定した前記第１チャンネルに前記第１オーディオデータを出力し、且つ、前記設定部が設定した前記第２チャンネルに前記第２オーディオデータを出力する第１出力部と、
を備えることを特徴とする音楽再生装置。
【請求項４】
前記Ｄ／Ａ変換装置への前記第１オーディオデータの出力、又は、前記第２オーディオデータの出力の選択を受け付ける受付部をさらに備え、
前記受付部が前記第１オーディオデータの出力の選択を受け付け、前記第１オーディオデータを前記Ｄ／Ａ変換装置に出力する場合、
前記設定部は、前記Ｄ／Ａ変換装置が使用するチャンネルを前記２つの第１チャンネルに設定し、
前記第１出力部は、前記設定部が設定した前記第１チャンネルに前記第１オーディオデータを出力し、
前記受付部が前記第２オーディオデータの出力の選択を受け付け、前記第２オーディオデータを前記Ｄ／Ａ変換装置に出力する場合、
前記設定部は、前記Ｄ／Ａ変換装置が使用するチャンネルを、前記２つの第１チャンネルと、前記２つの第２チャンネルと、を含む４チャンネル以上に設定し、
前記第１出力部は、前記設定部が設定した前記第１チャンネルに無音の前記第１オーディオデータを出力し、前記設定部が設定した前記第２チャンネルに前記第２オーディオデータを出力することを特徴とする請求項３に記載の音楽再生装置。
【請求項５】
前記第１オーディオデータは、ＰＣＭデータであり、
前記第２オーディオデータは、ＤＳＤデータであることを特徴とする請求項１〜４のいずれか１項に記載の音楽再生装置。
【請求項６】
デジタルの第１オーディオデータと、前記第１オーディオデータとデータ形式が異なる、デジタルの第２のオーディオデータと、をＤ／Ａ変換するＤ／Ａ変換装置と、
デジタルの前記第１オーディオデータと、デジタルの前記第２オーディオデータと、を前記Ｄ／Ａ変換装置に出力する音楽再生装置と、
を備える音楽再生システムであって、
前記音楽再生装置は、
前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、
前記設定部が設定した前記第１チャンネルに前記第１オーディオデータを出力し、且つ、前記設定部が設定した前記第２チャンネルに前記第２オーディオデータを出力する第１出力部と、
を備え、
前記Ｄ／Ａ変換装置は、
前記第１チャンネルに入力された前記第１オーディオデータ、及び、前記第２チャンネルに入力された前記第２オーディオデータをＤ／Ａ変換するＤ／Ａ変換部と、
前記第１チャンネルに前記第１オーディオデータが入力されている場合に、前記第１チャンネルに入力され、前記Ｄ／Ａ変換部がＤ／Ａ変換した前記第１オーディオデータのアナログデータを外部装置に出力し、且つ、前記第２チャンネルに前記第２オーディオデータが入力されている場合に、前記第２チャンネルに入力され、前記Ｄ／Ａ変換部が変換した前記第２オーディオデータのアナログデータを前記外部装置に出力する第２出力部と、
を備えることを特徴とする音楽再生システム。
【請求項７】
デジタルの第１オーディオデータと、前記第１オーディオデータとデータ形式が異なる、デジタルの第２のオーディオデータと、をＤ／Ａ変換するＤ／Ａ変換装置と、
デジタルの前記第１オーディオデータと、デジタルの前記第２オーディオデータと、を前記Ｄ／Ａ変換装置に出力する音楽再生装置と、
を備える音楽再生システムであって、
前記音楽再生装置は、
前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、
前記設定部が設定した前記第１チャンネルに前記第１オーディオデータを出力し、且つ、前記設定部が設定した前記第２チャンネルに前記第２オーディオデータを出力する第１出力部と、
を備え、
前記Ｄ／Ａ変換装置は、
前記第１チャンネルに入力された前記第１オーディオデータ、及び、前記第２チャンネルに入力された前記第２オーディオデータをＤ／Ａ変換するＤ／Ａ変換部と、
チャンネルが４チャンネル未満に設定されている場合に、前記第１チャンネルに入力され、前記Ｄ／Ａ変換部がＤ／Ａ変換した前記第１オーディオデータのアナログデータを外部装置に出力し、且つ、チャンネルが４チャンネル以上に設定されている場合に、前記第２チャンネルに入力され、前記Ｄ／Ａ変換部が変換した前記第２オーディオデータのアナログデータを前記外部装置に出力する第２出力部と、
を備えることを特徴とする音楽再生システム。
【請求項８】
コンピュータを、デジタルの第１オーディオデータと、前記第１オーディオデータとデータ形式が異なる、デジタルの第２オーディオデータと、をＤ／Ａ変換装置に出力する音楽再生装置として機能させる音楽再生プログラムであって、
前記コンピュータを、前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、
前記設定部が設定した前記２つの第１チャンネルに前記第１オーディオデータを出力し、且つ、前記設定部が設定した前記２つの第２チャンネルに前記第２オーディオデータを出力する第１出力部と、
して機能させることを特徴とする音楽再生プログラム。
【請求項９】
コンピュータを、デジタルの第１オーディオデータと、前記第１オーディオデータとデータ形式が異なる、デジタル第２のオーディオデータと、をＤ／Ａ変換装置に出力する音楽再生装置として機能させる音声再生プログラムであって、
前記コンピュータを、前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、
前記設定部が設定した前記第１チャンネルに前記第１オーディオデータを出力し、且つ、前記設定部が設定した前記第２チャンネルに前記第２オーディオデータを出力する第１出力部と、
として機能させることを特徴とする音楽再生プログラム。
【発明の詳細な説明】
【技術分野】
【０００１】
本発明は、音楽再生装置、音楽再生システム、及び音楽再生プログラムに関する。
【背景技術】
【０００２】
スマートフォンやタブレットＰＣ等を音楽再生装置として機能させる音楽再生プログラムがある。音楽再生プログラムは、スマートフォンのスピーカーから音楽を再生させる他、スマートフォンから外部のＵＳＢ  ＤＡＣ（Ｄ／Ａ変換装置）にデジタルのオーディオデータを出力させる。オーディオデータとしては、従来、サンプリング周波数４４．１ｋＨｚ、量子ビット数１６ビットのＰＣＭ（Pulse Code Modulation）方式によって符号化されたＰＣＭデータ（第１オーディオデータ）が主流であった。近年、オーディオデータとして、サンプリング周波数２．８２２４ＭＨｚ（＝４４．１ｋＨｚ×６４）、１ビットのＤＳＤ（Direct Stream Digital）方式によって符号化されたＤＳＤデータ（第２オーディオデータ）が登場した。
【０００３】
音楽再生プログラムは、スマートフォンからＵＳＢ  ＤＡＣにＤＳＤデータを出力させる場合に、ＰＣＭデータを出力するファイルコンテナを用いて、スマートフォンからＵＳＢ経由でＵＳＢ  ＤＡＣにＤＳＤデータを出力している（例えば、非特許文献１参照）。この方式は、ＤｏＰ（DSD Audio over PCM Frames）と呼ばれている。図１４は、ＤｏＰ方式の概念を示す図である。スマートフォンは、ＵＳＢ  ＤＡＣの、ＬチャンネルのＰＣＭデータ用チャンネルと、ＲチャンネルのＰＣＭデータ用チャンネルと、にＤＳＤデータをＤｏＰ出力する。ここで、音楽再生プログラムによりＤＳＤデータをＵＳＢ  ＤＡＣにＤｏＰ出力している場合に、他のプログラムによりシステム音（例えば、警告音、着信音等）が発生することがある。システム音はＰＣＭデータであり、ＰＣ等では、他のプログラムによりＰＣＭデータが読み出されても、音楽再生プログラムによりＵＳＢ  ＤＡＣに出力しているＤＳＤデータにＰＣＭデータがミックスされないようにする排他モードを備えている。
【先行技術文献】
【特許文献】
【０００４】
【非特許文献１】ファイル・ウェブ編集部、“「DSD配信には明るい未来が待っている」 − DoPを開発、Playback DesignsのKoch氏に聞く”、[online]、2012年6月26日、Phile-web、[2013年12月10日検索]、インターネット〈URL：http://www.phileweb.com/interview/article/201206/26/146.html〉
【発明の概要】
【発明が解決しようとする課題】
【０００５】
しかしながら、スマートフォン等では、上記の排他モードを備えていないことが多いため、スマートフォンがＤＳＤデータをＵＳＢ  ＤＡＣにＤｏＰ出力している場合に、例えば、スマートフォンに着信があると、着信音であるＰＣＭデータが読み出される。そして、スマートフォンにおいて、読み出されたＰＣＭデータがＤＳＤデータにミックスされ、ＤｏＰ出力できなくなる。なお、ＰＣＭデータがＤＳＤデータにミックスされると、ノイズが発生し、スマートフォン、ＵＳＢ  ＤＡＣが故障するという問題もある。
【０００６】
本発明の目的は、第１オーディオデータと、第１オーディオデータとデータ形式が異なる第２オーディオデータと、を音楽再生装置からＤ／Ａ変換装置に出力する場合に、第２オーディオデータが出力できなくなるという問題を解決することである。
【課題を解決するための手段】
【０００７】
第１の発明の音楽再生装置は、デジタルの第１オーディオデータと、前記第１オーディオデータとデータ形式が異なる、デジタルの第２オーディオデータと、をＤ／Ａ変換装置に出力する音楽再生装置であって、前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、前記設定部が設定した前記第１チャンネルに前記第１オーディオデータを出力し、且つ、前記設定部が設定した前記第２チャンネルに前記第２オーディオデータを出力する第１出力部と、を備えることを特徴とする。
【０００８】
本発明では、第１出力部は、設定部が設定したＤ／Ａ変換装置の第１チャンネルに第１オーディオデータを出力する。また、第１出力部は、設定部が設定したＤ／Ａ変換装置の第２チャンネルに第２オーディオデータを出力する。従って、第２オーディオデータをＤ／Ａ変換装置に出力している場合に、システム音等の第１オーディオデータが読み出されても、第２オーディオデータに第１オーディオデータがミックスされることがない。これにより、第１オーディオデータと、第１オーディオデータとデータ形式が異なる第２オーディオデータと、を音楽再生装置からＤ／Ａ変換装置に出力する場合に、第２オーディオデータが出力できなくなるという問題が発生することがない。
【０００９】
第２の発明の音楽再生装置は、第１の発明の音楽再生装置において、前記Ｄ／Ａ変換装置への前記第１オーディオデータの出力、又は、前記第２オーディオデータの出力の選択を受け付ける受付部をさらに備え、前記第１出力部は、前記受付部が前記第１オーディオデータの出力の選択を受け付けた場合に、前記設定部が設定した前記第１チャンネルに前記第１オーディオデータを出力し、前記設定部が設定した前記第２チャンネルに無音の前記第２オーディオデータを出力し、前記第１出力部は、前記受付部が前記第２オーディオデータの出力の選択を受け付けた場合に、前記設定部が設定した前記第１チャンネルに無音の前記第１オーディオデータを出力し、前記設定部が設定した前記第２チャンネルに前記第２オーディオデータを出力することを特徴とする。
【００１０】
本発明では、第１出力部は、受付部が第２オーディオデータの出力の選択を受け付けた場合に、設定部が設定したＤ／Ａ変換装置の第１チャンネルに無音の第１オーディオデータを出力する。また、第１出力部は、設定部が設定した第２チャンネルに第２オーディオデータを出力する。従って、第２オーディオデータをＤ／Ａ変換装置に出力している場合に、システム音等の第１オーディオデータが読み出されても、無音の第１オーディオデータに、第１オーディオデータがミックスされる。これにより、システム音等の第１オーディオデータが読み出されても、第２オーディオデータに第１オーディオデータがミックスされることがない。
【００１１】
第３の発明の音楽再生装置は、デジタルの第１オーディオデータと、前記第１オーディオデータとデータ形式が異なる、デジタルの第２のオーディオデータと、をＤ／Ａ変換装置に出力する音楽再生装置であって、前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、前記設定部が設定した前記第１チャンネルに前記第１オーディオデータを出力し、且つ、前記設定部が設定した前記第２チャンネルに前記第２オーディオデータを出力する第１出力部と、を備えることを特徴とする。
【００１２】
本発明では、第１出力部は、設定部が設定したＤ／Ａ変換装置の第１チャンネルに第１オーディオデータを出力する。また、第１出力部は、設定部が設定したＤ／Ａ変換装置の第２チャンネルに第２オーディオデータを出力する。従って、第２オーディオデータをＤ／Ａ変換装置に出力している場合に、システム音等の第１オーディオデータが読み出されても、第２オーディオデータに第１オーディオデータがミックスされることがない。これにより、第１オーディオデータと、第１オーディオデータとデータ形式が異なる第２オーディオデータと、を音楽再生装置からＤ／Ａ変換装置に出力する場合に、第２オーディオデータが出力できなくなるという問題が発生することがない。
【００１３】
第４の発明の音楽再生装置は、第３の発明の音楽再生装置において、前記Ｄ／Ａ変換装置への前記第１オーディオデータの出力、又は、前記第２オーディオデータの出力の選択を受け付ける受付部をさらに備え、前記受付部が前記第１オーディオデータの出力の選択を受け付け、前記第１オーディオデータを前記Ｄ／Ａ変換装置に出力する場合、前記設定部は、前記Ｄ／Ａ変換装置が使用するチャンネルを前記２つの第１チャンネルに設定し、前記第１出力部は、前記設定部が設定した前記第１チャンネルに前記第１オーディオデータを出力し、前記受付部が前記第２オーディオデータの出力の選択を受け付け、前記第２オーディオデータを前記Ｄ／Ａ変換装置に出力する場合、前記設定部は、前記Ｄ／Ａ変換装置が使用するチャンネルを、前記２つの第１チャンネルと、前記２つの第２チャンネルと、を含む４チャンネル以上に設定し、前記第１出力部は、前記設定部が設定した前記第１チャンネルに無音の前記第１オーディオデータを出力し、前記設定部が設定した前記第２チャンネルに前記第２オーディオデータを出力することを特徴とする。
【００１４】
本発明では、第１出力部は、受付部が第２オーディオデータの出力の選択を受け付けた場合に、設定部が設定したＤ／Ａ変換装置の第１チャンネルに無音の第１オーディオデータを出力する。また、第１出力部は、設定部が設定した第２チャンネルに第２オーディオデータを出力する。従って、第２オーディオデータをＤ／Ａ変換装置に出力している場合に、システム音等の第１オーディオデータが読み出されても、無音の第１オーディオデータに、第１オーディオデータがミックスされる。これにより、システム音等の第１オーディオデータが読み出されても、第２オーディオデータに第１オーディオデータがミックスされることがない。
【００１５】
第５の発明の音楽再生装置は、第１〜第４のいずれかの発明の音楽再生装置において、前記第１オーディオデータは、ＰＣＭデータであり、前記第２オーディオデータは、ＤＳＤデータであることを特徴とする。
【００１６】
本発明では、第１出力部は、設定部が設定したＤ／Ａ変換装置の第１チャンネルにＰＣＭデータを出力する。また、第１出力部は、設定部が設定したＤ／Ａ変換装置の第２チャンネルにＤＳＤデータを出力する。従って、ＤＳＤデータをＤ／Ａ変換装置に出力している場合に、システム音等のＰＣＭデータが読み出されても、ＤＳＤデータにＰＣＭデータがミックスされることがない。これにより、ＰＣＭデータと、ＰＣＭデータとデータ形式が異なるＤＳＤデータと、を音楽再生装置からＤ／Ａ変換装置に出力する場合に、ＤＳＤデータが出力できなくなるという問題が発生することがない。
【００１７】
第６の発明の音楽再生システムは、デジタルの第１オーディオデータと、前記第１オーディオデータとデータ形式が異なる、デジタルの第２のオーディオデータと、をＤ／Ａ変換するＤ／Ａ変換装置と、デジタルの前記第１オーディオデータと、デジタルの前記第２オーディオデータと、を前記Ｄ／Ａ変換装置に出力する音楽再生装置と、を備える音楽再生システムであって、前記音楽再生装置は、前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、前記設定部が設定した前記第１チャンネルに前記第１オーディオデータを出力し、且つ、前記設定部が設定した前記第２チャンネルに前記第２オーディオデータを出力する第１出力部と、を備え、前記Ｄ／Ａ変換装置は、前記第１チャンネルに入力された前記第１オーディオデータ、及び、前記第２チャンネルに入力された前記第２オーディオデータをＤ／Ａ変換するＤ／Ａ変換部と、前記第１チャンネルに前記第１オーディオデータが入力されている場合に、前記第１チャンネルに入力され、前記Ｄ／Ａ変換部がＤ／Ａ変換した前記第１オーディオデータのアナログデータを外部装置に出力し、且つ、前記第２チャンネルに前記第２オーディオデータが入力されている場合に、前記第２チャンネルに入力され、前記Ｄ／Ａ変換部が変換した前記第２オーディオデータのアナログデータを前記外部装置に出力する第２出力部と、を備えることを特徴とする。
【００１８】
本発明では、第１出力部は、設定部が設定したＤ／Ａ変換装置の第１チャンネルに第１オーディオデータを出力する。また、第１出力部は、設定部が設定したＤ／Ａ変換装置の第２チャンネルに第２オーディオデータを出力する。従って、第２オーディオデータをＤ／Ａ変換装置に出力している場合に、システム音等の第１オーディオデータが読み出されても、第２オーディオデータに第１オーディオデータがミックスされることがない。これにより、第１オーディオデータと、第１オーディオデータとデータ形式が異なる第２オーディオデータと、を音楽再生装置からＤ／Ａ変換装置に出力する場合に、第２オーディオデータが出力できなくなるという問題が発生することがない。
【００１９】
また、本発明では、第２出力部は、第１チャンネルに第１オーディオデータが入力されている場合に、第１オーディオデータのアナログデータを外部装置に出力する。また、第２出力部は、第２チャンネルに第２オーディオデータが入力されている場合に、第２オーディオデータのアナログデータを外部装置に出力する。従って、オーディオデータのアナログデータに基づいて、外部装置で音楽を再生することが可能である。
【００２０】
第７の発明の音楽再生システムは、デジタルの第１オーディオデータと、前記第１オーディオデータとデータ形式が異なる、デジタルの第２のオーディオデータと、をＤ／Ａ変換するＤ／Ａ変換装置と、デジタルの前記第１オーディオデータと、デジタルの前記第２オーディオデータと、を前記Ｄ／Ａ変換装置に出力する音楽再生装置と、を備える音楽再生システムであって、前記音楽再生装置は、前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、前記設定部が設定した前記第１チャンネルに前記第１オーディオデータを出力し、且つ、前記設定部が設定した前記第２チャンネルに前記第２オーディオデータを出力する第１出力部と、を備え、前記Ｄ／Ａ変換装置は、前記第１チャンネルに入力された前記第１オーディオデータ、及び、前記第２チャンネルに入力された前記第２オーディオデータをＤ／Ａ変換するＤ／Ａ変換部と、チャンネルが４チャンネル未満に設定されている場合に、前記第１チャンネルに入力され、前記Ｄ／Ａ変換部がＤ／Ａ変換した前記第１オーディオデータのアナログデータを外部装置に出力し、且つ、チャンネルが４チャンネル以上に設定されている場合に、前記第２チャンネルに入力され、前記Ｄ／Ａ変換部が変換した前記第２オーディオデータのアナログデータを前記外部装置に出力する第２出力部と、を備えることを特徴とする。
【００２１】
本発明では、第１出力部は、設定部が設定したＤ／Ａ変換装置の第１チャンネルに第１オーディオデータを出力する。また、第１出力部は、設定部が設定したＤ／Ａ変換装置の第２チャンネルに第２オーディオデータを出力する。従って、第２オーディオデータをＤ／Ａ変換装置に出力している場合に、システム音等の第１オーディオデータが読み出されても、第２オーディオデータに第１オーディオデータがミックスされることがない。これにより、第１オーディオデータと、第１オーディオデータとデータ形式が異なる第２オーディオデータと、を音楽再生装置からＤ／Ａ変換装置に出力する場合に、第２オーディオデータが出力できなくなるという問題が発生することがない。
【００２２】
また、本発明では、第２出力部は、チャンネルが４チャンネル未満に設定されている場合に、第１オーディオデータのアナログデータを外部装置に出力する。また、第２出力部は、チャンネルが４チャンネル以上に設定されている場合に、第２オーディオデータのアナログデータを外部装置に出力する。従って、オーディオデータのアナログデータに基づいて、外部装置で音楽を再生することが可能である。
【００２３】
第８の発明の音楽再生プログラムは、コンピュータを、デジタルの第１オーディオデータと、前記第１オーディオデータとデータ形式が異なる、デジタルの第２オーディオデータと、をＤ／Ａ変換装置に出力する音楽再生装置として機能させる音楽再生プログラムであって、前記コンピュータを、前記Ｄ／Ａ変換装置が使用するチャンネルを、左右のオーディオデータを含む前記第１オーディオデータ用の２つの第１チャンネルと、左右のオーディオデータを含む前記第２オーディオデータ用の２つの第２チャンネルと、を含む４チャンネル以上に設定する設定部と、前記設定部が設定した前記２つの第１チャンネルに前記第１オーディオデータを出力し、且つ、前記設定部が設定した前記２つの第２チャンネルに前記第２オーディオデータを出力する第１出力部と、して機能させることを特徴とする。
【００２４】
第９の発明の音楽再生プログラムは、コンピュータを、デジタルの第１オーディオデータと、前記第１オーディオデータとデータ形式が異なる、デジタル第２のオーディオデータと、をＤ／Ａ変換装置に出力する音楽再生装置として機能させる音声再生プログラムであって、前記コンピュータを、前記第１オーディオデータを前記Ｄ／Ａ変換装置に出力する場合、前記Ｄ／Ａ変換装置が使用するチャンネルを、左右のオーディオデータを含む前記第１オーディオデータ用の２つの第１チャンネルに設定し、且つ、前記第２オーディオデータを前記Ｄ／Ａ変換装置に出力する場合、前記Ｄ／Ａ変換装置が使用するチャンネルを、前記２つの第１チャンネルと、左右のオーディオデータを含む前記第２オーディオデータ用の２つの第２チャンネルと、を含む４チャンネル以上に設定する設定部と、前記設定部が設定した前記第１チャンネルに前記第１オーディオデータを出力し、且つ、前記設定部が設定した前記第２チャンネルに前記第２オーディオデータを出力する第１出力部と、として機能させることを特徴とする。
【発明の効果】
【００２５】
本発明によれば、第１オーディオデータと、第１オーディオデータとデータ形式が異なる第２オーディオデータと、を音楽再生装置からＤ／Ａ変換装置に出力する場合に、第２オーディオデータが出力できなくなるという問題を解決することができる。
【図面の簡単な説明】
【００２６】
【図１】本発明の実施形態に係る音楽再生システムの構成を示すブロック図である。
【図２】スマートフォンからＵＳＢ  ＤＡＣへのオーディオデータの出力について説明するための図である。
【図３】オーディオデータの情報の表示例である。
【図４】スマートフォンからオーディオデータが入力されたＵＳＢ  ＤＡＣの処理を説明するための図である。
【図５】スマートフォンからオーディオデータが入力されたＵＳＢ  ＤＡＣの処理を説明するための図である。
【図６】ＵＳＢ  ＤＡＣにオーディオデータを出力するスマートフォンの処理動作を示すフローチャートである（第１実施形態）。
【図７】スマートフォンからオーディオデータが入力されたＵＳＢ  ＤＡＣの処理動作を示すフローチャートである（第１実施形態）。
【図８】スマートフォンからオーディオデータが入力されたＵＳＢ  ＤＡＣの処理動作を示すフローチャートである（第１実施形態）。
【図９】スマートフォンからＵＳＢ  ＤＡＣへのオーディオデータの出力、及び、スマートフォンからオーディオデータが入力されたＵＳＢ  ＤＡＣの処理を説明するための図である。
【図１０】ＵＳＢ  ＤＡＣにオーディオデータを出力するスマートフォンの処理動作を示すフローチャートである（第２実施形態）。
【図１１】スマートフォンからオーディオデータが入力されたＵＳＢ  ＤＡＣの処理動作を示すフローチャートである（第２実施形態）。
【図１２】変形例における、スマートフォンからオーディオデータが入力されたＵＳＢ  ＤＡＣの処理を説明するための図である。
【図１３】変形例における、スマートフォンからオーディオデータが入力されたＵＳＢ  ＤＡＣの処理を説明するための図である。
【図１４】ＤｏＰ方式の概念を示す図である。
【発明を実施するための形態】
【００２７】
（第１実施形態）
以下、本発明の実施形態について説明する。図１は、本発明の第１実施形態に係る音楽再生システムの構成を示すブロック図である。音楽再生システム１００は、スマートフォン１、ＵＳＢ  ＤＡＣ１１、ＡＶアンプ３５、スピーカー３６を備えている。スマートフォン１は、記憶部３に記憶されている音楽再生プログラムＰが実行されることにより、デジタルのオーディオデータをＵＳＢ  ＤＡＣ１１に出力する音楽再生装置として機能する。ＵＳＢ  ＤＡＣ１１（Ｄ／Ａ変換装置）は、スマートフォン１から出力されたデジタルのオーディオデータをアナログのオーディオデータにＤ／Ａ変換し、Ｄ／Ａ変換したアナログのオーディオデータをＡＶアンプ３５に出力する。ＡＶアンプ３５（外部装置）は、ＵＳＢ  ＤＡＣ１１から出力されたアナログのオーディオデータを増幅し、増幅したアナログのオーディオデータをスピーカー３６に出力する。スピーカー３６は、ＡＶアンプ３５から出力されたアナログのオーディオデータに基づいて、音楽を含む音声を外部に出力する。
【００２８】
（スマートフォン１）
スマートフォン１は、制御部２、記憶部３、表示部４、操作部５、スピーカー６、ネットワーク通信部（以下、「ＮＷ通信部」という。）７、ブルートゥース（登録商標）通信部（以下、「ＢＴ通信部」という。）８、コネクタ９等を備えている。スマートフォン１は、例えば、ＯＳ（Operating System）プログラムとして、ｉＯＳを搭載したアップル社製のｉＰｈｏｎｅ（登録商標）である。
【００２９】
制御部２は、制御プログラム、ＯＳプログラム、音楽再生プログラムＰを含むアプリケーションプログラムに従って、スマートフォン１を構成する各部を制御する。また、制御部２は、音楽再生プログラムＰに従って、後述する受付部２１（図２参照）等として機能する。
【００３０】
記憶部３は、制御部２の主メモリとして機能するＲＡＭ（Random Access Memory）、制御プログラムを記憶するＲＯＭ（Read Only Memory）、ＯＳプログラムや音楽再生プログラムＰを含むアプリケーションプログラム等のプログラム、オーディオデータ等の各種データを記憶するフラッシュメモリから構成されている。なお、記憶部３は、例示する構成に限られず、ＨＤＤ（Hard Disk Drive）等を含んでいてもよい。また、音楽再生プログラムＰは、工場出荷時にスマートフォン１の記憶部３に記憶されていてもよいし、後述するＮＷ通信部７を介して、図示しないサーバからダウンロードされ、スマートフォン１の記憶部３に記憶されていてもよい。
【００３１】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、電話番号やメールアドレス等の各種の文字入力、通信設定などを行うことが可能である。スピーカー６は、制御部２から出力されるオーディオデータに基づいて、音楽等の種々の音声を出力する。ＮＷ通信部７は、図示しない携帯電話網および携帯基地局を介してインターネットに接続可能なように構成されている。スマートフォン１は、ＮＷ通信部７を介して、他の端末との通話、通信等を行うことが可能である。ＢＴ通信部８は、ブルートゥース規格に基づいて、ブルートゥース規格に対応した図示しない周辺装置と無線通信を行う。
【００３２】
コネクタ９は、スマートフォン１を外部の機器と接続するためのものである。コネクタ９は、メス型の接続コネクタであり、例えば、アップル社製のＬｉｇｈｔｎｉｎｇコネクタと呼ばれる８ピンのコネクタである。本実施形態では、スマートフォン１とＵＳＢ  ＤＡＣ１１とは、コネクタ９を介して、変換装置４１により接続される。
【００３３】
（変換装置４１）
変換装置４１は、コネクタ４２，４３、ＵＳＢホストコントローラ４４を備えている。コネクタ４２は、スマートフォン１のコネクタ９に対応したオス型の接続コネクタである。スマートフォン１のコネクタ９と変換装置４１のコネクタ４２とが接続されることにより、スマートフォン１と変換装置４１とが接続される。コネクタ４３は、ＵＳＢのＡタイプの、メス型の接続コネクタである。ＵＳＢホストコントローラ４４は、ＵＳＢ規格に対応した通信をＵＳＢデバイス（本実施形態では、ＵＳＢ  ＤＡＣ１１）と行うためのコントローラである。スマートフォン１は、変換装置４１が接続されることにより、ＵＳＢホストとして機能する。
【００３４】
（ＵＳＢ  ＤＡＣ１１）
ＵＳＢ  ＤＡＣ１１は、制御部１２、記憶部１３、表示部１４、操作部１５、Ｄ／Ａコンバータ１６（Ｄ／Ａ変換部）、コネクタ１７、ＵＳＢデバイスコントローラ１８等を備えている。制御部１２は、制御プログラムに従って、ＵＳＢ  ＤＡＣ１１を構成する各部を制御する。また、制御部１２は、後述するスイッチ制御部１２１（図２参照）として機能する。
【００３５】
記憶部１３は、制御部１２の主メモリとして機能するＲＡＭ、制御プログラムを記憶するＲＯＭから構成されている。なお、記憶部１３は、例示する構成に限られず、フラッシュメモリ等を備えていてもよい。表示部１４は、設定画面等を表示するものであり、ＬＣＤ（液晶ディスプレイ）や蛍光表示管等である。操作部１５は、ユーザー操作を受け付けるためのものであり、ＵＳＢ  ＤＡＣ１１の筐体に設けられた操作ボタン等である。Ｄ／Ａコンバータ１６は、スマートフォン１から出力されるオーディオデータをＤ／Ａ変換するものである。Ｄ／Ａコンバータ１６は、マルチチャンネルのオーディオデータをＤ／Ａ変換することが可能である。従って、ＵＳＢ  ＤＡＣ１１は、マルチチャンネルのオーディオデータのＤ／Ａ変換に対応可能である。また、Ｄ／Ａコンバータ１６は、ＰＣＭデータ、ＤＳＤデータをＤ／Ａ変換することが可能である。
【００３６】
コネクタ１７は、ＵＳＢのマイクロＢタイプの、メス型の接続コネクタである。変換装置４１のコネクタ４３とＵＳＢ  ＤＡＣ１１のコネクタ１７とがＵＳＢケーブル５１で接続されることにより、変換装置４１とＵＳＢ  ＤＡＣ１１とが接続される。ＵＳＢデバイスコントローラ１８は、ＵＳＢ規格に対応した通信をＵＳＢホスト（本実施形態では、スマートフォン１）と行うためのコントローラである。ＵＳＢデバイスコントローラ１８により、ＵＳＢ  ＤＡＣ１１は、ＵＳＢデバイスとして機能する。本実施形態では、スマートフォン１とＵＳＢ  ＤＡＣ１１とは、ＵＳＢオーディオクラスに対応した通信を行う。
【００３７】
以下、スマートフォン１からＵＳＢ  ＤＡＣ１１へのオーディオデータの出力について、図２に基づいて説明する。スマートフォン１からＵＳＢ  ＤＡＣ１１へは、音楽再生プログラムＰが起動され、ユーザーの操作部５の操作により選択されたオーディオデータ等が出力される。スマートフォン１の制御部２は、受付部２１、設定部２２、復号部２３、出力部２４（第１出力部）として機能する。受付部２１は、ＵＳＢ  ＤＡＣ１１に出力するオーディオデータの選択を受け付ける。例えば、受付部２１は、図３に示すように、表示部４に記憶部３に記憶されているオーディオデータの情報を表示する。受付部２１は、ユーザーにより表示部４に表示されたオーディオデータの情報がタッチされると、操作部５のタッチパネルにより、タッチされたオーディオデータの選択を受け付ける。オーディオデータは、ＰＣＭデータとＤＳＤデータとを含んでいるため、受付部２１は、ＵＳＢ  ＤＡＣ１１へのＰＣＭデータの出力、又は、ＵＳＢ  ＤＡＣ１１へのＤＳＤデータの出力の選択を受け付けることとなる。
【００３８】
設定部２２は、ＵＳＢ  ＤＡＣ１１が使用するチャンネルを設定する。具体的には、設定部２２は、Ｌチャンネル、ＲチャンネルのＰＣＭデータ（第１オーディオデータ）用のＰＣＭデータ用チャンネル１９Ｌ，１９Ｒ（第１チャンネル）、Ｌチャンネル、ＲチャンネルのＤＳＤデータ（第２オーディオデータ）用のＤＳＤデータ用チャンネル２０Ｌ，２０Ｒ（第２チャンネル）の４チャンネルに設定する。設定部２２は、ＵＳＢリクエスト（set request）をＵＳＢ  ＤＡＣ１１に送信することで、チャンネルの設定を行う。復号部２３は、受付部２１が選択を受け付け、ＵＳＢ  ＤＡＣ１１に出力するＰＣＭデータ、ＤＳＤデータをデコードする。出力部２４は、ＵＳＢ  ＤＡＣ１１に、復号部２３がデコードしたＰＣＭデータ、ＤＳＤデータを出力する。具体的には、出力部２４は、Ｌチャンネル、ＲチャンネルのＰＣＭデータをＰＣＭデータ用チャンネル１９Ｌ，１９Ｒに出力する。また、出力部２３は、Ｌチャンネル、ＲチャンネルのＤＳＤデータをＤＳＤデータ用チャンネル２０Ｌ，２０ＲにＤｏＰ出力する。なお、以下では、「ＤｏＰ出力」を単に「出力」ともいう。
【００３９】
ここで、出力部２４は、受付部２１がＰＣＭデータのＵＳＢ  ＤＡＣ１１への出力の選択を受け付け、ＰＣＭデータをＵＳＢ  ＤＡＣ１１に出力する場合、ＰＣＭデータをＰＣＭデータ用チャンネル１９に出力し、無音のＤＳＤデータ（ゼロデータ）をＤＳＤデータ用チャンネル２０に出力する。また、他のプログラムによりシステム音等のＰＣＭデータが記憶部３から読み出された場合も、出力部２４は、ＰＣＭデータをＰＣＭデータ用チャンネル１９に出力し、無音のＤＳＤデータ（ゼロデータ）をＤＳＤデータ用チャンネル２０に出力する。また、出力部２４は、受付部２１がＤＳＤデータのＵＳＢ  ＤＡＣ１１への出力の選択を受け付け、ＤＳＤデータをＵＳＢ  ＤＡＣ１１に出力する場合、無音のＰＣＭデータをＰＣＭデータ用チャンネル１９に出力し、ＤＳＤデータをＤＳＤデータ用チャンネル２０に出力する。
【００４０】
次に、スマートフォン１からオーディオデータが入力されたＵＳＢ  ＤＡＣ１１の処理を、図４及び図５に基づいて説明する。ＵＳＢ  ＤＡＣ１１は、ＰＣＭデータ用チャンネル１９に入力され、Ｄ／Ａコンバータ１６がＤ／Ａ変換したＰＣＭデータのアナログデータ、又は、ＤＳＤデータ用チャンネル２０に入力され、Ｄ／Ａコンバータ１６がＤ／Ａ変換したＤＳＤデータのアナログデータをＡＶアンプ３５に出力するためのスイッチ２９を備えている。スイッチ２９は、スイッチ制御部１２１（第２出力部）により制御される。具体的には、スイッチ制御部１２１は、ＰＣＭデータ用チャンネル１９にＰＣＭデータが入力されている場合に、図４に示すように、スイッチ２９により、ＰＣＭデータのアナログデータをＡＶアンプ３５に出力する。また、スイッチ制御部１２１は、ＤＳＤデータ用チャンネル２０にＤＳＤデータが入力されている場合に、図５に示すように、スイッチ２９により、ＤＳＤデータのアナログデータをＡＶアンプ３５に出力する。
【００４１】
次に、ＵＳＢ  ＤＡＣ１１へオーディオデータを出力するスマートフォン１の処理動作を、図６に示すフローチャートに基づいて説明する。出力部２４は、受付部２１が選択を受け付けたオーディオデータが、ＤＳＤデータであるか否かを判断する（Ｓ１）。出力部２４は、オーディオデータがＤＳＤデータであると判断した場合（Ｓ１：Ｙｅｓ）、ＤＳＤデータ用チャンネル２０に、受付部２１が選択を受け付けたＤＳＤデータを出力し、ＰＣＭデータ用チャンネル１９に無音のＰＣＭデータを出力する（Ｓ２）。一方、出力部２４は、オーディオデータがＤＳＤデータでない、すなわち、ＰＣＭデータであると判断した場合（Ｓ１：Ｎｏ）、ＰＣＭデータ用チャンネル１９に、受付部２１が選択を受け付けたＰＣＭデータを出力し、ＤＳＤデータ用チャンネル２０に無音のＤＳＤデータを出力する（Ｓ３）。なお、他のプログラムによりシステム音等のＰＣＭデータが記憶部３から読み出された場合、出力部２４は、オーディオデータがＤＳＤデータでない、すなわち、ＰＣＭデータであると判断し（Ｓ１：Ｎｏ）、ＰＣＭデータ用チャンネル１９にＰＣＭデータを出力し、ＤＳＤデータ用チャンネル２０に無音のＤＳＤデータを出力する（Ｓ３）。
【００４２】
次に、スマートフォン１からオーディオデータが入力されたＵＳＢ  ＤＡＣ１１の処理動作を、図７に示すフローチャートに基づいて説明する。スイッチ制御部１２１は、オーディオデータを受信すると（Ｓ１１）、ＤＳＤデータ用チャンネル２０にデータ（信号）があるか否かを判断する（Ｓ１２）。ここでは、ＤＳＤデータの優先度がＰＣＭデータの優先度よりも高いため、スイッチ制御部１２１は、先に、ＤＳＤデータ用チャンネル２０にデータがあるか否かを判断している。スイッチ制御部１２１は、ＤＳＤデータ用チャンネル２０にデータがあると判断した場合（Ｓ１２：Ｙｅｓ）、スイッチ２９をＤＳＤデータ用チャンネル２０に切り替え、ＤＳＤデータのアナログデータをＡＶアンプ３５に出力する（Ｓ１３）。
【００４３】
スイッチ制御部１２１は、ＤＳＤデータ用チャンネル２０にデータがないと判断した場合（Ｓ１２：Ｎｏ）、ＰＣＭデータ用チャンネル１９にデータ（信号）があるか否かを判断する（Ｓ１４）。スイッチ制御部１２１は、ＰＣＭデータ用チャンネル１９にデータがあると判断した場合（Ｓ１４：Ｙｅｓ）、スイッチ２９をＰＣＭデータ用チャンネル１９に切り替え、ＰＣＭデータのアナログデータをＡＶアンプ３５に出力する（Ｓ１５）。スイッチ制御部１２１は、ＰＣＭデータ用チャンネル１９にデータがないと判断した場合（Ｓ１４：Ｎｏ）、スイッチ２９をＤＳＤデータ用チャンネル２０に切り替え、ＤＳＤデータのアナログデータをＡＶアンプ３５に出力する（Ｓ１６）。
【００４４】
図７は、ＤＳＤデータの優先度がＰＣＭデータの優先度よりも高く、ＤＳＤデータ用チャンネル２０にデータがあるか否かを先に判断する場合について示している。以下、図８に基づいて、ＰＣＭデータの優先度がＤＳＤデータの優先度よりも高い場合のＵＳＢ  ＤＡＣ１１の処理動作について説明する。
【００４５】
スイッチ制御部１２１は、オーディオデータを受信すると（Ｓ２１）、ＰＣＭデータ用チャンネル１９にデータ（信号）があるか否かを判断する（Ｓ２２）。スイッチ制御部１２１は、ＰＣＭデータ用チャンネル１９にデータがあると判断した場合（Ｓ２２：Ｙｅｓ）、スイッチ２９をＰＣＭデータ用チャンネル１９に切り替え、ＰＣＭデータのアナログデータをＡＶアンプ３５に出力する（Ｓ２３）。
【００４６】
スイッチ制御部１２１は、ＰＣＭデータ用チャンネル１９にデータがないと判断した場合（Ｓ２２：Ｎｏ）、ＤＳＤデータ用チャンネル２０にデータ（信号）があるか否かを判断する（Ｓ２４）。スイッチ制御部１２１は、ＤＳＤデータ用チャンネル２０にデータがあると判断した場合（Ｓ２４：Ｙｅｓ）、スイッチ２９をＤＳＤデータ用チャンネル２０に切り替え、ＤＳＤデータのアナログデータをＡＶアンプ３５に出力する（Ｓ２５）。スイッチ制御部１２１は、ＤＳＤデータ用チャンネル２０にデータがないと判断した場合（Ｓ２４：Ｎｏ）、スイッチ２９をＰＣＭデータ用チャンネル１９に切り替え、ＰＣＭデータのアナログデータをＡＶアンプ３５に出力する（Ｓ２６）。
【００４７】
（第２実施形態）
以下、本発明の第２実施形態について説明する。第１実施形態では、設定部２２は、ＵＳＢ  ＤＡＣ１１が使用するチャンネルを、常に、ＰＣＭデータ用チャンネル１９Ｌ，１９Ｒ、ＤＳＤデータ用チャンネル２０Ｌ，２０Ｒの４チャンネルに設定する。第２実施形態では、設定部２２は、受付部２１がＤＳＤデータの出力の選択を受け付け、ＤＳＤデータをＵＳＢ  ＤＡＣ１１に出力する場合のみ、ＵＳＢ  ＤＡＣ１１が使用するチャンネルをＰＣＭデータ用チャンネル１９Ｌ，１９Ｒ、ＤＳＤデータ用チャンネル２０Ｌ，２０Ｒの４チャンネルに設定する。また、設定部２２は、受付部２１がＰＣＭデータの出力の選択を受け付け、ＰＣＭデータをＵＳＢ  ＤＡＣ１１に出力する場合は、図９に示すように、ＵＳＢ  ＤＡＣ１１が使用するチャンネルをＰＣＭデータ用チャンネル１９Ｌ，１９Ｒに設定する。なお、他のプログラムによりシステム音等のＰＣＭデータが読み出された場合も、設定部２２は、図９に示すように、ＵＳＢ  ＤＡＣ１１が使用するチャンネルをＰＣＭデータ用チャンネル１９Ｌ，１９Ｒに設定する。
【００４８】
出力部２４は、受付部２１がＤＳＤデータの出力の選択を受け付け、ＤＳＤデータをＵＳＢ  ＤＡＣ１１に出力する場合は、無音のＰＣＭデータをＰＣＭデータ用チャンネル１９に出力し、ＤＳＤデータをＤＳＤデータ用チャンネル２０に出力する。また、出力部２４は、受付部２１がＰＣＭデータの出力の選択を受け付け、ＰＣＭデータをＵＳＢ  ＤＡＣ１１に出力する場合は、図９に示すように、ＰＣＭデータをＰＣＭデータ用チャンネル１９に出力する。なお、他のプログラムによりシステム音等のＰＣＭデータが読み出された場合も、設定部２２は、図９に示すように、ＰＣＭデータをＰＣＭデータ用チャンネル１９に出力する。
【００４９】
ＵＳＢ  ＤＡＣ１１においては、スイッチ制御部１２１は、チャンネルが４チャンネル未満に設定されている場合、すなわち、ＰＣＭデータ用チャンネル１９Ｌ，１９Ｒに設定されている場合に、スイッチ２９により、ＰＣＭデータのアナログデータをＡＶアンプ３５に出力する。また、スイッチ制御部１２１は、チャンネルが４チャンネルに設定されている場合、すなわち、ＰＣＭデータ用チャンネル１９Ｌ，１９Ｒ、ＤＳＤデータ用チャンネル２０Ｌ，２０Ｒに設定されている場合に、スイッチ２９により、ＤＳＤデータのアナログデータをＡＶアンプ３５に出力する。
【００５０】
以下、第２実施形態における、ＵＳＢ  ＤＡＣ１１にオーディオデータを出力するスマートフォン１の処理動作を、図１０に示すフローチャートに基づいて説明する。設定部２２は、受付部２１が選択を受け付けたオーディオデータが、ＤＳＤデータであるか否かを判断する（Ｓ３１）。設定部２２は、オーディオデータがＤＳＤデータであると判断した場合（Ｓ３１：Ｙｅｓ）、ＵＳＢ  ＤＡＣ１１が使用するチャンネルを、ＰＣＭデータ用チャンネル１９Ｌ，１９Ｒ、ＤＳＤデータ用チャンネル２０Ｌ，２０Ｒの４チャンネルに設定する（Ｓ３２）。次に、出力部２４は、ＤＳＤデータ用チャンネル２０に、受付部２１が選択を受け付けたＤＳＤデータを出力し、ＰＣＭデータ用チャンネル１９に無音のＰＣＭデータを出力する（Ｓ３３）。
【００５１】
一方、設定部２２は、オーディオデータがＤＳＤデータでない、すなわち、ＰＣＭデータであると判断した場合（Ｓ３１：Ｎｏ）、ＵＳＢ  ＤＡＣ１１が使用するチャンネルを、ＰＣＭデータ用チャンネル１９Ｌ，１９Ｒの２チャンネルに設定する（Ｓ３４）。次に、出力部２４は、ＰＣＭデータ用チャンネル１９に、受付部２１が選択を受け付けたＰＣＭデータを出力する（Ｓ３５）。なお、他のプログラムによりシステム音等のＰＣＭデータが読み出された場合、設定部２４は、オーディオデータがＤＳＤデータでない、すなわち、ＰＣＭデータであると判断し（Ｓ３１：Ｎｏ）、ＵＳＢ  ＤＡＣ１１が使用するチャンネルを、ＰＣＭデータ用チャンネル１９Ｌ，１９Ｒの２チャンネルに設定する（Ｓ３４）。そして、出力部２４は、ＰＣＭデータ用チャンネル１９にＰＣＭデータを出力する（Ｓ３５）。
【００５２】
以下、第２実施形態における、スマートフォン１からオーディオデータが入力されたＵＳＢ  ＤＡＣ１１の処理動作を、図１１に示すフローチャートに基づいて説明する。スイッチ制御部１２１は、設定されているチャンネルが４チャンネルであるか否かを判断する（Ｓ４１）。スイッチ制御部１２１は、設定されているチャンネルが４チャンネルである、すなわち、ＰＣＭデータ用チャンネル１９Ｌ，１９Ｒ、ＤＳＤデータ用チャンネル２０Ｌ，２０Ｒに設定されていると判断した場合（Ｓ４１：Ｙｅｓ）、オーディオデータを受信すると（Ｓ４２）、スイッチ２９をＤＳＤデータ用チャンネル２０に切り替え、ＤＳＤデータのアナログデータをＡＶアンプ３５に出力する（Ｓ４３）。
【００５３】
スイッチ制御部１２１は、設定されているチャンネルが４チャンネルでない、すなわち、ＰＣＭデータ用チャンネル１９Ｌ，１９Ｒに設定されていると判断した場合（Ｓ４１：Ｎｏ）、オーディオデータを受信すると（Ｓ４４）、スイッチ２９をＰＣＭデータ用チャンネル１９に切り替え、ＰＣＭデータのアナログデータをＡＶアンプ３５に出力する（Ｓ４５）。
【００５４】
以上説明したように、本実施形態では、出力部２４は、設定部２２が設定したＵＳＢ  ＤＡＣ１１のＰＣＭデータ用チャンネル１９にＰＣＭデータを出力する。また、出力部２４は、設定部２２が設定したＵＳＢ  ＤＡＣ１１のＤＳＤデータ用チャンネル２０にＤＳＤデータを出力する。従って、ＤＳＤデータをＵＳＢ  ＤＡＣ１１に出力している場合に、システム音等のＰＣＭデータが読み出されても、ＤＳＤデータにＰＣＭデータがミックスされることがない。これにより、ＰＣＭデータと、ＰＣＭとデータ形式が異なるＤＳＤデータと、をスマートフォン１からＵＳＢ  ＤＡＣ１１に出力する場合に、ＤＳＤデータが出力できなくなるという問題が発生することがない。
【００５５】
また、本実施形態では、スイッチ制御部１２１は、ＰＣＭデータ用チャンネル１９にＰＣＭデータが入力されている場合、又は、チャンネルが４チャンネル未満に設定されている場合、ＰＣＭデータのアナログデータをＡＶアンプ３５に出力する。また、スイッチ制御部１２１は、ＤＳＤデータ用チャンネル２０にＤＳＤデータが入力されている場合、又は、チャンネルが４チャンネルに設定されている場合に、ＤＳＤデータのアナログデータをＡＶアンプ３５に出力する。従って、オーディオデータのアナログデータに基づいて、ＡＶアンプ３５を介してスピーカー３６で音楽を再生することが可能である。
【００５６】
また、本実施形態では、出力部２４は、受付部２１がＤＳＤデータの出力の選択を受け付けた場合に、設定部２２が設定したＵＳＢ  ＤＡＣ１１のＰＣＭデータ用チャンネル１９に無音のＰＣＭデータ（ゼロデータ）を出力する。また、出力部２４は、設定部２２が設定したＤＳＤデータ用チャンネルにＤＳＤデータを出力する。従って、ＤＳＤデータをＵＳＢ  ＤＡＣ１１に出力している場合に、システム音等のＰＣＭデータが読み出されても、無音のＰＣＭデータに、ＰＣＭデータがミックスされる。これにより、システム音等のＰＣＭデータが読み出されても、ＤＳＤデータにＰＣＭデータがミックスされることがない。
【００５７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５８】
（変形例）
上述の実施形態においては、ＵＳＢ  ＤＡＣ１１は、スイッチ２９を備えており、スイッチ制御部１２１がスイッチ２９を制御して、ＰＣＭデータのアナログデータ、又は、ＤＳＤデータのアナログデータをＡＶアンプ３５に出力するようになっている。ＵＳＢ  ＤＡＣ１１は、スイッチ２９に替えて、図１２及び図１３に示すように、ミュート３０を備え、制御部１２を、ミュート３０を制御するミュート制御部１２２（第２出力部）として機能させるようにしてもよい。ミュート制御部１２２は、ＰＣＭデータのアナログデータをＡＶアンプ３５に出力する場合、図１２に示すように、ミュート３０によるＰＣＭデータ用チャンネル１９のミュートを解除し、ミュート３０により、ＤＳＤデータ用チャンネル２０をミュートする。また、ミュート制御部１２２は、ＤＳＤデータのアナログデータをＡＶアンプ３５に出力する場合、図１３に示すように、ミュート３０により、ＰＣＭデータ用チャンネル１９をミュートし、ミュート３０によるＤＳＤデータ用チャンネル２０のミュートを解除する。
【００５９】
上述の実施形態においては、設定部２２は、ＵＳＢ  ＤＡＣ１１が使用するチャンネルを、ＰＣＭデータ用チャンネル１９Ｌ，１９Ｒ、ＤＳＤデータ用チャンネル２０Ｌ，２０Ｒの４チャンネルに設定する場合について説明した。これに限らず、ＰＣＭデータ用チャンネル１９Ｌ，１９Ｒ、ＤＳＤデータ用チャンネル２０Ｌ，２０Ｒを含んでいれば、設定部２２は、ＵＳＢ  ＤＡＣ１１が使用するチャンネルを５チャンネル以上に設定してもよい。
【００６０】
上述の実施形態においては、スマートフォン１からＵＳＢ  ＤＡＣ１１に、ＰＣＭデータ（第１オーディオデータ）及びＤＳＤデータ（第２オーディオデータ）が出力される場合について説明した。スマートフォン１からＵＳＢ  ＤＡＣ１１に出力されるオーディオデータは、ＰＣＭデータ及びＤＳＤデータに限られず、データ形式の異なるオーディオデータがスマートフォン１からＵＳＢ  ＤＡＣ１１に出力されればよい。
【００６１】
上述の実施形態においては、スマートフォン１がＵＳＢホストコンローラを備えていない場合について説明した。これに限らず、スマートフォンがＵＳＢホストコントローラを備えており（例えば、グーグル社製のAndroid（登録商標） OSを搭載したスマートフォン等）、ＵＳＢケーブルでスマートフォンとＵＳＢ  ＤＡＣが接続されていてもよい。
【００６２】
上述の実施形態においては、ＵＳＢ  ＤＡＣ１１がオーディオデータのアナログデータを出力する外部装置として、ＡＶアンプ３５を例示した。これに限らず、増幅器付スピーカー等であってもよい。
【００６３】
上述の実施形態においては、スマートフォンに音楽再生プログラムがインストールされており、スマートフォンを音楽再生装置として機能させる場合について説明した。これに限らず、音楽再生装置として機能させる機器として、タブレットＰＣ、フィーチャーフォン、携帯ゲーム機等であってもよい。
【産業上の利用可能性】
【００６４】
本発明は、音楽を再生する音楽再生装置、音楽再生システム、及び音楽再生プログラムに好適に採用され得る。
【符号の説明】
【００６５】
１  スマートフォン（音楽再生装置）
２  制御部
２１  受付部
２２  設定部
２３  復号部
２４  出力部（第１出力部）
３  記憶部
１１  ＵＳＢ  ＤＡＣ（Ｄ／Ａ変換装置）
１２  制御部
１２１  スイッチ制御部（第２出力部）
１２２  ミュート制御部（第２出力部）
１６  Ｄ／Ａコンバータ（Ｄ／Ａ変換部）
１７  コネクタ
１８  ＵＳＢデバイスコントローラ
１９  ＰＣＭデータ用チャンネル（第１チャンネル）
２０  ＤＳＤデータ用チャンネル（第１チャンネル）
２９  スイッチ
３０  ミュート
３５  ＡＶアンプ（外部装置）
３６  スピーカー
４１  変換装置
４４  ＵＳＢホストコントローラ
１００  音楽再生システム
Ｐ  音楽再生プログラム
【図１】
2015122709.tif 000003
【図２】
2015122709.tif 000004
【図３】
2015122709.tif 000005
【図４】
2015122709.tif 000006
【図５】
2015122709.tif 000007
【図６】
2015122709.tif 000008
【図７】
2015122709.tif 000009
【図８】
2015122709.tif 000010
【図９】
2015122709.tif 000011
【図１０】
2015122709.tif 000012
【図１１】
2015122709.tif 000013
【図１２】
2015122709.tif 000014
【図１３】
2015122709.tif 000015
【図１４】
2015122709.tif 000016